(57)【要約】      （修正有）【課題】精査処理を滞りなく完了させる紙幣処理装置を提供する。【解決手段】紙幣処理装置（バラ紙幣処理ユニット１００）は、収納部１１２と、識別部（出金識別部１０９）と、精査処理を実行する制御部と、を備える。制御部は、精査処理の実行時に、第１精査処理、又は、第１精査処理の一部の工程を省略した第２精査処理を選択的に実行する。【選択図】図７
2020191020.tif 000002
【特許請求の範囲】
【請求項１】
紙幣を収納する収納部と、
前記紙幣を識別する識別部と、
前記識別部が、前記収納部から繰り出した紙幣の少なくとも計数を行うと共に、計数した前記紙幣を前記収納部に収納する精査処理を実行する制御部と、を備え、
前記制御部は、前記精査処理の実行時に、第１精査処理、又は、前記第１精査処理の一部の工程を省略した第２精査処理を選択的に実行する紙幣処理装置。
【請求項２】
前記紙幣を反転させる反転機構と、前記反転機構を迂回するバイパスとを有しかつ、前記紙幣を選択的に反転させる反転部を備え、
前記制御部は、前記第１精査処理時には、前記識別部の識別結果に応じて前記紙幣を選択的に反転し、前記収納部に収納する紙幣の表裏及び天地の少なくとも一方を揃え、
前記制御部は、前記第２精査処理時には、前記紙幣を、前記識別部の識別結果に関わらず前記バイパスを通過させ、前記収納部に収納する請求項１に記載の紙幣処理装置。
【請求項３】
前記制御部は、前記第２精査処理を実行した場合は、前記紙幣の表裏及び天地を揃えていない旨を出力する請求項２に記載の紙幣処理装置。
【請求項４】
前記制御部は、前記収納部に収納している紙幣の揃えに関する情報を出力する請求項２又は３に記載の紙幣処理装置。
【請求項５】
前記収納部は、金種別に紙幣を収納する金種別収納部と、前記金種別収納部に収納しない紙幣を収納する一括収納部とを有し、
前記制御部は、前記第１精査処理時には、前記金種別収納部及び前記一括収納部それぞれの精査処理を実行し、
前記制御部は、前記第２精査処理時には、前記金種別収納部の精査処理を実行し、前記一括収納部の精査処理を実行しない請求項１〜４のいずれか１項に記載の紙幣処理装置。
【請求項６】
前記制御部は、前記精査処理を予約に従って実行する場合には、前記第２精査処理を実行する請求項１〜５のいずれか１項に記載の紙幣処理装置。
【請求項７】
前記制御部は、操作者の指示に従って、前記第１精査処理又は前記第２精査処理を実行する請求項１〜６のいずれか１項に記載の紙幣処理装置。
【請求項８】
前記制御部は、前記精査処理の実行が遠隔で指示された場合は、前記第２精査処理を実行する請求項１〜７のいずれか１項に記載の紙幣処理装置。
【請求項９】
人を検知する人感センサを備え、
前記制御部は、前記精査処理の実行時に、前記人感センサが人を検知していない場合は、前記第２精査処理を実行する請求項１〜８のいずれか１項に記載の紙幣処理装置。
【発明の詳細な説明】
【技術分野】
【０００１】
ここに開示する技術は、紙幣処理装置に関する。
【背景技術】
【０００２】
特許文献１には、紙幣処理装置が記載されている。紙幣処理装置は、紙幣を収納する収納部と、紙幣の識別を行う識別部とを備えている。紙幣処理装置はさらに、紙幣の天地及び表裏を反転するスイッチバック方式の第１反転部と、紙幣の搬送幅方向の向きを反転するスパイラル方式の第２反転部とを備えている。紙幣処理装置は、第１反転部及び第２反転部によって、紙幣の天地及び表裏の両方を揃えることができる。
【０００３】
特許文献１の紙幣処理装置は精査処理を行う。精査処理時には、収納部から繰り出した紙幣の少なくとも計数を識別部が行うと共に、計数した紙幣を収納部に収納する。特許文献１には、精査処理を実行する際に、識別部が識別をした紙幣の向きに応じて、紙幣を選択的に反転させることにより、収納部に収納する紙幣の向きを揃えることが記載されている。
【先行技術文献】
【特許文献】
【０００４】
【特許文献１】特開２０１７−１７４４２２号公報
【発明の概要】
【発明が解決しようとする課題】
【０００５】
ところで、精査処理は、収納部に収納している紙幣を繰り出しかつ、繰り出した紙幣を収納部へ再度収納するため、収納部に収納している紙幣の枚数が多いと、時間がかかる。また、紙幣処理装置の収納部の数が増えると、精査処理に要する時間はさらに長くなる。精査処理の実行中は紙幣処理装置を使用することができない。そこで、紙幣処理装置が設置されている金融機関の営業店舗等においては、例えば夜間等の、業務を行わない時間帯に、紙幣処理装置が精査処理を自動的に実行する場合がある。
【０００６】
ところが、精査処理を実行している最中に、例えば紙幣の詰まり等の、搬送エラーが発生してしまうと、紙幣処理装置は精査処理を中止する。操作者が搬送エラーを解除しなければ、精査処理を再開することができない。前述したように、夜間等の、周囲に人が存在しない環境下で紙幣処理装置が精査処理を実行している最中に、搬送エラーが発生してしまうと、操作者が出勤をする翌朝まで搬送エラーを解除することができない。
【０００７】
この場合、操作者が出勤をした翌朝に、操作者が搬送エラーを解除すると共に、精査処理を再開する。前述したように、精査処理の実行には長時間を要するため、店舗の営業開始が遅れる等、業務の遂行に支障が生じる恐れもある。
【０００８】
ここに開示する技術は、精査処理を滞りなく完了させる。
【課題を解決するための手段】
【０００９】
ここに開示する技術は、紙幣処理装置に関する。紙幣処理装置は、
紙幣を収納する収納部と、
前記紙幣を識別する識別部と、
前記識別部が、前記収納部から繰り出した紙幣の少なくとも計数を行うと共に、計数した前記紙幣を前記収納部に収納する精査処理を実行する制御部と、を備え、
前記制御部は、前記精査処理の実行時に、第１精査処理、又は、前記第１精査処理の一部の工程を省略した第２精査処理を選択的に実行する。
【００１０】
前記の構成によると、一部の工程が省略される第２精査処理の実行時は、搬送エラーが発生し難いため、精査処理が滞りなく完了する。
【００１１】
前記紙幣処理装置は、前記紙幣を反転させる反転機構と、前記反転機構を迂回するバイパスとを有しかつ、前記紙幣を選択的に反転させる反転部を備え、
前記制御部は、前記第１精査処理時には、前記識別部の識別結果に応じて前記紙幣を選択的に反転し、前記収納部に収納する紙幣の表裏及び天地の少なくとも一方を揃え、
前記制御部は、前記第２精査処理時には、前記紙幣を、前記識別部の識別結果に関わらず前記バイパスを通過させ、前記収納部に収納する、としてもよい。
【００１２】
紙幣がバイパスを通過する第２精査処理の実行時は、搬送エラーが発生し難い。
【００１３】
前記制御部は、前記第２精査処理を実行した場合は、前記紙幣の表裏及び天地を揃えていない旨を出力する、としてもよい。
【００１４】
前記制御部は、前記収納部に収納している紙幣の揃えに関する情報を出力する、としてもよい。
【００１５】
操作者は、収納部に収納している紙幣の状態を知ることができる。
【００１６】
前記収納部は、金種別に紙幣を収納する金種別収納部と、前記金種別収納部に収納しない紙幣を収納する一括収納部とを有し、
前記制御部は、前記第１精査処理時には、前記金種別収納部及び前記一括収納部それぞれの精査処理を実行し、
前記制御部は、前記第２精査処理時には、前記金種別収納部の精査処理を実行し、前記一括収納部の精査処理を実行しない、としてもよい。
【００１７】
一括収納部を精査処理の対象から外すことによって、第２精査処理の実行時に搬送エラーが発生し難くなる。精査処理が滞りなく完了する。
【００１８】
前記制御部は、前記精査処理を予約に従って実行する場合には、前記第２精査処理を実行する、としてもよい。
【００１９】
予約に従って精査処理を自動的に実行する場合、紙幣処理装置は、無人で精査処理を行う可能性が高い。紙幣処理装置は、第２精査処理を実行することが好ましい。
【００２０】
前記制御部は、操作者の指示に従って、前記第１精査処理又は前記第２精査処理を実行する、としてもよい。
【００２１】
前記制御部は、前記精査処理の実行が遠隔で指示された場合は、前記第２精査処理を実行する、としてもよい。
【００２２】
精査処理を遠隔指示により実行する場合、紙幣処理装置は、無人で精査処理を行う可能性が高い。紙幣処理装置は、第２精査処理を実行することが好ましい。
【００２３】
紙幣処理装置は、人を検知する人感センサを備え、
前記制御部は、前記精査処理の実行時に、前記人感センサが人を検知していない場合は、前記第２精査処理を実行する、としてもよい。
【発明の効果】
【００２４】
以上説明したように、前記の紙幣処理装置によると、精査処理を滞りなく完了させることができる。
【図面の簡単な説明】
【００２５】
【図１】図１は、貨幣処理装置の外観を示す斜視図である。
【図２】図２は、貨幣処理装置の構成を例示するブロック図である。
【図３】図３は、バラ紙幣処理ユニットの内部構成を例示する図である。
【図４】図４は、紙幣の天地方向及び左右方向を説明する図である。
【図５】図５は、紙幣の表裏及び天地の両方を揃えるときの、スイッチバック反転部及びスパイラル反転部の動作を説明する図である。
【図６】図６は、入金処理時及び出金処理時の紙幣の搬送経路を説明する図である。
【図７】図７の左図は、第１精査処理時の紙幣の搬送経路、右図は、第２精査処理時の紙幣の搬送経路を説明する図である。
【図８】図８は、自動精査の実行に関する処理の手順を説明するフローチャートである。
【図９】図９の上図は、精査処理に関する設定画面を例示する図であり、中図は、自動精査の完了時に表示される画面を例示する図であり、下図は、収納部内の紙幣の揃え状態に関する表示画面を例示する図である。
【図１０】図１０は、夜間精査に関する設定画面を例示する図である。
【図１１】図１１は、紙幣を収納部へ手装填した後の精査処理の実行を促す画面から、精査処理の実行中に至る画面の遷移を例示する図である。
【図１２】図１２は、収納部内の紙幣が揃っていない場合の、出金処理時の紙幣の搬送経路を説明する図である。
【図１３】図１３は、バラ紙幣処理ユニットの内部ユニットの引き出し構成を概略的に例示する図である。
【図１４】図１４は、スパイラル反転部を概略的に例示する斜視図である。
【図１５】図１５は、スパイラル反転部の、バイパスを開放した状態を概略的に例示する斜視図である。
【図１６】図１６は、スパイラル反転部の、反転機構を開放した状態を概略的に例示する斜視図である。
【図１７】図１７は、図３とは異なる紙幣処理装置の内部構成を例示する図である。
【発明を実施するための形態】
【００２６】
以下、紙幣処理装置の実施形態を図面に基づいて詳細に説明する。以下の説明は、紙幣処理装置の一例である。図１及び図２は、紙幣処理装置を含む貨幣処理装置１の構成例を示している。
【００２７】
（貨幣処理装置の全体構成）
図１は、貨幣処理装置１の外観を示している。図２は、貨幣処理装置１の構成を示すブロック図である。貨幣処理装置１は、例えば銀行等の金融機関の営業店舗に設置されかつ、入金処理及び出金処理を含む各種の処理を実行する出納機である。尚、貨幣処理装置１は、金融機関に設置することには限定されない。
【００２８】
貨幣処理装置１は、紙幣処理装置としてのバラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、及び、貨幣保管ユニット７００、及び、これらの各処理ユニット１００〜７００を統合制御する制御部８を含んで構成されている。
【００２９】
バラ紙幣処理ユニット１００は、入金口に投入されたバラ紙幣を、ユニット内の収納部に収納する入金処理、及び、収納部に収納しているバラ紙幣を、出金口に払い出す出金処理を行う。バラ紙幣処理ユニット１００の構成は、後述する。
【００３０】
帯封紙幣処理ユニット２００は、所定枚数（例えば１００枚）の紙幣を、帯封紙によって一つに束ねた帯封紙幣を作成しかつ、帯封紙幣をユニット内に収納する処理を行うと共に、収納している帯封紙幣を、ユニット外に出金する処理を行う。帯封紙幣処理ユニット２００とバラ紙幣処理ユニット１００とは、隣り合っている。
【００３１】
バラ硬貨処理ユニット３００は、入金口に投入されたバラ硬貨を、ユニット内の収納部に収納する入金処理、及び、収納部に収納しているバラ硬貨を、出金口に払い出す出金処理を行う。
【００３２】
包装硬貨処理ユニット４００は、所定枚数（例えば５０枚）の硬貨を円筒形状に包装した包装硬貨を作成しかつ、包装硬貨をユニット内に収納する処理を行うと共に、収納している包装硬貨を、ユニット外に出金する処理を行う。包装硬貨処理ユニット４００とバラ硬貨処理ユニット３００とは、隣り合っている。
【００３３】
損貨・記念貨処理ユニット５００は、傷みや汚れがひどいため、バラ硬貨処理ユニット３００で処理することができないバラ硬貨（つまり、損貨）、及び、バラ硬貨処理ユニット３００が処理対象としていない記念硬貨等をユニット内に収納する入金処理を行う。損貨・記念貨処理ユニット５００は、有価媒体処理ユニット６００の上面に配置されている。
【００３４】
有価媒体処理ユニット６００は、傷みや汚れがひどいため、バラ紙幣処理ユニット１００で処理することができないバラ紙幣（つまり、損券）、及び、バラ紙幣処理ユニット１００が処理対象としていない小切手等の有価媒体をユニット内に収納する入金処理を行う。
【００３５】
貨幣保管ユニット７００は、紙幣や硬貨、又は、有価証券類等を保管する収納ドロワを複数備えている。操作者は、収納ドロワを開閉することによって、収納ドロワに紙幣等を収納したり、収納ドロワから紙幣等を取り出したりすることができる。
【００３６】
制御部８は、バラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、貨幣保管ユニット７００を制御することによって、銀行の営業店舗における貨幣の出入の管理を行う。貨幣処理装置１は、当該貨幣処理装置１に収納されている紙幣及び硬貨だけでなく、営業店舗の金庫に保管している貨幣の在高、及び、手持ち管理の貨幣の在高の管理も行う。制御部８は、タイマー８１を有している。詳細は後述するが、制御部８は、指定した時刻が経過した時に処理を開始するタイマー予約、及び、指定された日にちや曜日及び／又は時間帯に処理を開始する日時予約、に従って処理を行う場合に、タイマー８１を用いる。
【００３７】
貨幣処理装置１はまた、第一ターミナル部４１、第二ターミナル部４２、プリンタ５０、及び、記憶部５１を備えている。
【００３８】
第一ターミナル部４１は、包装硬貨処理ユニット４００の上面に配置されており、第二ターミナル部４２は、帯封紙幣処理ユニット２００の上面に配置されている。第一ターミナル部４１及び第二ターミナル部４２は同じ構成を有している。第一ターミナル部４１及び第二ターミナル部４２はそれぞれ、例えばタッチパネル式の表示操作部を有し、操作者に向けて情報を表示すると共に、操作者の操作を受け付ける。表示操作部は、表示を行う表示部と、操作者の操作を受け付ける操作部とに分けてもよい。第一ターミナル部４１及び第二ターミナル部４２はまた、操作者の認証を行うために、カード情報を読み取るカードリーダを有している。
【００３９】
プリンタ５０は、例えば感熱式プリンタや、インクジェットプリンタによって構成される。プリンタ５０は、取引を行う毎に伝票の印刷をしたり、各種のジャーナルの印刷を行ったりする。プリンタ５０は、バラ紙幣処理ユニット１００の上面と、バラ硬貨処理ユニット３００の上面とのそれぞれに配置されている。
【００４０】
記憶部５１は、例えばハードディスクドライブや、不揮発性メモリによって構成されている。記憶部５１は、貨幣処理装置１において収納している紙幣及び硬貨の在高情報を記憶している。記憶部５１はまた、貨幣処理装置１が行った取引の情報を記憶している。
【００４１】
貨幣処理装置１は、第一ターミナル部４１及び／又は第二ターミナル部４２を介してネットワーク６１に接続されている。ネットワーク６１には、例えば管理コンピュータ６２が接続されている。管理コンピュータ６２は、貨幣処理装置１を遠隔で管理する装置である。操作者は、管理コンピュータ６２を通じて、遠隔で貨幣処理装置１を操作することができる。
【００４２】
貨幣処理装置１はまた、人感センサ５２を備えている。人感センサ５２は、貨幣処理装置１の近くに人が居ることを検知し、制御部８に検知信号を出力する。
【００４３】
（バラ紙幣処理ユニットの構成）
図３は、バラ紙幣処理ユニット１００の構成を例示している。バラ紙幣処理ユニット１００には、バラ紙幣を出金するための出金口１０１とバラ紙幣を入金するための入金口１０２が設けられている。
【００４４】
バラ紙幣処理ユニット１００は、入金部１０３と、入金リジェクト部１０４と、出金部１０５と、出金リジェクト部１０６と、搬送部１０７と、入金識別部１０８と、出金識別部１０９と、スイッチバック反転部１１０と、スパイラル反転部１１１と、四つの収納部１１２と、四つの一時保留部１１３と、二つの集積部１１４と、運搬部１１５と、を備えている。
【００４５】
入金部１０３は、入金口１０２につながっている。操作者は、入金口１０２を通じて入金部１０３にバラ紙幣を投入する。入金部１０３は、繰出機構１０３ａを備えている。繰出機構１０３ａは、入金部１０３に投入されたバラ紙幣を一枚ずつ繰り出す。
【００４６】
入金リジェクト部１０４は、入金識別部１０８によってリジェクト紙幣と識別された紙幣を受け取る。入金リジェクト部１０４は、入金口１０２につながっている。操作者は、入金口１０２を通じて入金リジェクト部１０４からバラ紙幣を取り出すことができる。
【００４７】
出金部１０５は、収納部１１２から繰り出された紙幣を受け取る。出金部１０５は、出金口１０１につながっている。操作者は、出金口１０１を通じて出金部１０５からバラ紙幣を取り出すことができる。出金リジェクト部１０６は、主に、出金識別部１０９によりリジェクト紙幣と識別された紙幣を受け取る。
【００４８】
搬送部１０７は、ベルト機構、ローラー機構等により構成されている。搬送部１０７は、入金部１０３から収納部１１２（正確には、後述の一時保留部１１３）までをつなぐ入金搬送路１１６と、収納部１１２から出金部１０５までをつなぐ出金搬送路１１７と、入金搬送路１１６と出金搬送路１１７とをつなぐ循環搬送路１１８及びバイパス路１１９と、入金リジェクト搬送路１２０と、二つの集積搬送路１２１と、出金リジェクト搬送路１２２と、を含んでいる。
【００４９】
循環搬送路１１８は、出金搬送路１１７におけるスパイラル反転部１１１と集積部１１４との間と、入金搬送路１１６における入金識別部１０８とスイッチバック反転部１１０との間とをつないでいる。バイパス路１１９は、入金搬送路１１６の先端から分岐して、出金搬送路１１７における集積部１１４の上流に接続されている。入金リジェクト搬送路１２０は、入金搬送路１１６から分岐して、入金リジェクト部１０４に接続されている。二つの集積搬送路１２１はそれぞれ、出金搬送路１１７から分岐して、集積部１１４に接続されている。出金リジェクト搬送路１２２は、出金搬送路１１７から分岐して、出金リジェクト部１０６に接続されている。
【００５０】
バラ紙幣処理ユニット１００は、図４に示すように長方形状である紙幣ＢＮを、長手の縁を前にして搬送路に沿って搬送する。搬送部１０７は、紙幣を一枚一枚、間隔を空けて、各搬送路に沿って搬送する。
【００５１】
入金識別部１０８は、入金搬送路１１６に配設されている。より詳細に、入金識別部１０８は、入金搬送路１１６において、入金部１０３と、循環搬送路１１８の接続位置との間に配設されている。入金識別部１０８は、紙幣の金種、真偽、表裏、向き、正損、新旧、搬送状態等を識別する。
【００５２】
出金識別部１０９は、出金搬送路１１７に配設されている。より詳細に、出金識別部１０９は、出金搬送路１１７において、収納部１１２と、スパイラル反転部１１１との間に配設されている。出金識別部１０９は、紙幣の金種、真偽、表裏、向き、正損、新旧、搬送状態等を識別する。出金識別部１０９は、識別部の一例である。
【００５３】
ここで、入金識別部１０８及び出金識別部１０９が識別を行う紙幣の方向について説明をする。紙幣の方向は、紙幣の表裏と向きとの組み合わせによって、Ａ方向、Ｂ方向、Ｃ方向及びＤ方向の四つの方向に定まる。紙幣の天地方向は、図４に示すように、紙幣ＢＮに描かれた肖像画を基準とした上下の方向である。紙幣の左右方向は、天地方向に直交する方向である。長手の縁を前にして搬送される紙幣において、天地方向は、搬送方向に一致する。左右方向は、搬送方向に直交する。尚、以下の説明において、搬送方向に直交する方向を、搬送幅方向と呼ぶ場合がある。
【００５４】
図５に示すように、Ａ方向は、紙幣が表向きでかつ、搬送方向に対して紙幣の天地方向が従う方向である。Ｂ方向は、紙幣が表向きでかつ、搬送方向に対して紙幣の天地方向が逆らう方向である。Ｃ方向は、紙幣が裏向きでかつ、搬送方向に対して紙幣の天地方向が逆らう方向である。Ｄ方向は、紙幣が裏向きでかつ、搬送方向に対して紙幣の天地方向が従う方向である。
【００５５】
スイッチバック反転部１１０は、入金搬送路１１６における、循環搬送路１１８の接続箇所よりも下流に配置されている。スイッチバック反転部１１０は、入金識別部１０８の識別結果に応じて、紙幣の表裏及び天地方向の両方を、選択的に反転する。スイッチバック反転部１１０は、反転部の一例である。スイッチバック反転部１１０は、紙幣の表裏及び天地方向を反転させるスイッチバック方式の反転パス１１０ａ（つまり、反転機構）と、紙幣の表裏及び天地方向を反転することなく通過させるバイパス１１０ｂと、を有している。
【００５６】
反転パス１１０ａを通過した紙幣は、搬送幅方向の向きを変えずに、紙幣の表裏と搬送方向の向き（つまり、天地方向の向き）との両方が反転する。スイッチバック反転部１１０は、入金識別部１０８の識別結果に応じて、表裏及び天地方向の向きを反転する必要がある紙幣は、反転パス１１０ａを通過させ、表裏及び天地方向の向きを反転する必要がない紙幣は、バイパス１１０ｂを通過させる。
【００５７】
スパイラル反転部１１１は、出金搬送路１１７において、出金識別部１０９よりも下流かつ、循環搬送路１１８の接続箇所よりも上流に設けられている。スパイラル反転部１１１は、紙幣の搬送幅方向の向きを、選択的に反転する。スパイラル反転部１１１は、反転部の一例である。スパイラル反転部１１１は、紙幣の搬送幅方向の向きを反転させる反転パス１１１ａと、紙幣の搬送幅方向の向きを反転することなく通過させるバイパス１１１ｂと、を有している。反転パス１１１ａには、紙幣を反転する反転機構１１１ｃが配設されている。バイパス１１１ｂには、バイパス路１１９が接続されている。反転機構１１１ｃは、この構成例では、紙幣の搬送方向に沿って伸びる軸回りに、紙幣を回転させる、いわゆるスパイラル方式に構成されている。反転機構１１１ｃは、紙幣の搬送方向に直交する搬送幅方向（つまり、紙幣の左右方向）の向きと、紙幣の表裏との両方を反転することができる。スパイラル反転部１１１は、スイッチバック反転部１１０とは機能が相違する。反転機構１１１ｃの構成の詳細は省略するが、スパイラル方式の反転機構１１１ｃは、公知の様々な構成を採用することができる。
【００５８】
スパイラル反転部１１１は、出金識別部１０９の識別結果に応じて、左右方向の向きを反転する必要がある紙幣は、反転パス１１１ａを通過させ、左右方向の向きを反転する必要がない紙幣は、バイパス１１１ｂを通過させる。反転機構１１１ｃの下流において、反転パス１１１ａとバイパス１１１ｂとは合流する。このバラ紙幣処理ユニット１００は、スイッチバック反転部１１０とスパイラル反転部１１１との二種類の反転部を備えることにより、紙幣の表裏及び天地方向の向きの両方を揃えることができる。
【００５９】
ここで、図５に示すフローを参照しながら、紙幣の表裏及び天地方向の向きを揃えるための、スイッチバック反転部１１０及びスパイラル反転部１１１の動作について説明する。ここでは、入金部１０３から取り込まれた紙幣がスイッチバック反転部１１０を通過した後、収納部１１２に収納される入金処理、及び、収納部１１２から繰り出された紙幣がスパイラル反転部１１１を通過した後、出金部１０５に投出される出金処理が行われる例において、スイッチバック反転部１１０及びスパイラル反転部１１１の動作を説明する。尚、以下の説明においては、スイッチバック反転部１１０及びスパイラル反転部１１１によって、紙幣をＡ方向に揃えるとする。但し、紙幣の揃えの向きは、Ａ方向に限らず、Ｂ方向、Ｃ方向及びＤ方向のいずれであってもよい。
【００６０】
入金部１０３が繰り出した紙幣は、入金識別部１０８によって識別される。入金識別部１０８の識別結果による紙幣の方向に応じて、図５のプロセスは、ステップＳ４１〜Ｓ４４に進む。つまり、紙幣がＡ方向であるときに、プロセスはステップＳ４１に進み、紙幣がＢ方向であるときに、プロセスはステップＳ４２に進み、紙幣がＣ方向であるときに、プロセスはステップＳ４３に進み、紙幣がＤ方向であるときに、プロセスはステップＳ４４に進む。
【００６１】
ステップＳ５１〜Ｓ５４は、スイッチバック反転部１１０における反転動作に係る。ステップＳ４１に続くステップＳ５１においては、紙幣を反転させる必要がないため、スイッチバック反転部１１０は、紙幣を通過させる。つまり、紙幣は、バイパス１１０ｂを通過する。紙幣の方向はＡ方向のままである（ステップＳ６１参照）。ステップＳ４２に続くステップＳ５２において、スイッチバック反転部１１０は、紙幣を反転させる。つまり、紙幣は、反転パス１１０ａを通過する。これにより、紙幣の表裏及び天地方向の向きの両方が反転し、紙幣の方向はＢ方向からＤ方向になる（ステップＳ６２参照）。ステップＳ４３に続くステップＳ５３において、スイッチバック反転部１１０は、紙幣を反転させる。これにより、紙幣の方向はＣ方向からＡ方向になる（ステップＳ６３参照）。ステップＳ４４に続くステップＳ５４において、スイッチバック反転部１１０は、紙幣を通過させる。紙幣の方向はＤ方向のままである（ステップＳ６４参照）。スイッチバック反転部１１０は、紙幣の天地を揃えている。つまり、スイッチバック反転部１１０を通過した紙幣の方向は、特定の方向を向いている。スイッチバック反転部１１０を通過した紙幣は、収納部１１２に収納される。収納部１１２は、特定の方向を向いた紙幣を収納している。
【００６２】
収納部１１２が繰り出した紙幣は、出金識別部１０９によって識別される。図５のプロセスは、ステップＳ５１、Ｓ５２、Ｓ５３、及びＳ５４に対応して、ステップＳ６１、Ｓ６２、Ｓ６３、及びＳ６４に分かれる。紙幣は、前述したように、Ａ方向又はＤ方向である。
【００６３】
ステップＳ７１〜７４は、スパイラル反転部１１１における反転動作に係る。ステップＳ６１に続くステップＳ７１においては、紙幣を反転させる必要がないため、スパイラル反転部１１１は、紙幣を通過させる。つまり、紙幣は、バイパス１１１ｂを通過する。紙幣の方向はＡ方向のままである。ステップＳ６２に続くステップＳ７２において、スパイラル反転部１１１は、紙幣を反転させる。つまり、紙幣は、反転パス１１１ａを通過する。これにより、紙幣の表裏及び左右方向の向きの両方が反転し、紙幣の方向はＤ方向からＡ方向になる。ステップＳ６３に続くステップＳ７３において、スパイラル反転部１１１は、紙幣を通過させる。これにより、紙幣の方向はＡ方向のままになる。ステップＳ６４に続くステップＳ７４において、スパイラル反転部１１１は、紙幣を反転させる。紙幣の方向はＤ方向からＡ方向になる。こうして、紙幣の方向は全てＡ方向に揃う。
【００６４】
収納部１１２は、入金された紙幣を金種別に収納するために利用される。たとえば、四つの収納部１１２のそれぞれに対し、図３の左から右の順に、一括、一万円、５千円、及び、千円の金種が割り当てられている。収納部１１２内には、紙幣が上下に積まれるように収納される。収納部１１２には、その天面に紙幣の入口が形成され、その底面に紙幣の出口が形成される。収納部１１２には、その底面側に繰出部１１２ａが設けられている。繰出部１１２ａは、収納部１１２内の紙幣を、一枚ずつ出金搬送路１１７に繰り出すことができる。収納部１１２は、先に入れた紙幣を先に出す、いわゆる先入れ先出しに構成されている。尚、一括収納部１１２には、対応する金種別の収納部１１２に収納できないオーバーフロー紙幣や、金種を識別できるものの払出しには適さない損傷紙幣（損券）や、搬送異常の紙幣や、対応する収納部１１２が設けられていない２千円紙幣等が収納される。
【００６５】
一時保留部１１３は、対応する収納部１１２の上方に配置される。一時保留部１１３は、収納部１１２に収納される紙幣を、その収納前に一時的に収納する。四つの一時保留部１１３には、入金搬送路１１６が分岐して接続されている。一時保留部１１３に収納された紙幣は、対応する収納部１１２へ送られる。一時保留部１１３はまた、手動で、バラ紙幣処理ユニット１００の外に引き出すことができる。操作者は、一時保留部１１３に収納されている紙幣を手で取り出すことができる。
【００６６】
各集積部１１４は、所定の帯封枚数（通常は、１００枚）となるまで、紙幣を集積する。運搬部１１５は、一対のアームを備えている。運搬部１１５は、集積部１１４に集積されているバラ紙幣を、一対のアームで挟んで集積部１１４内から取り出し、帯封紙幣処理ユニット２００へ運搬する。
【００６７】
（バラ紙幣処理ユニットにおける各種処理）
以下、バラ紙幣処理ユニット１００において行われる、入金処理、出金処理、及び、精査処理の各処理について、順に説明をする。
【００６８】
（入金処理）
入金処理を行うときに、操作者は、バラ紙幣処理ユニット１００の入金部１０３に入金対象のバラ紙幣を投入する。図６の黒矢印は、紙幣の搬送経路を示している。操作者が入金処理の実行を指示する操作を行うと、入金部１０３の繰出機構１０３ａは、紙幣を一枚ずつ繰り出す。搬送部１０７は、紙幣を一枚ずつ、入金搬送路１１６に沿って搬送する。
【００６９】
入金識別部１０８は、紙幣の識別を行う。スイッチバック反転部１１０は、入金識別部１０８の識別結果に基づいて、反転が必要な紙幣を選択的に反転させる。スイッチバック反転部１１０は、前述したように、紙幣の天地を揃える。搬送部１０７は、スイッチバック反転部１１０を通過した紙幣を、金種に対応する一時保留部１１３へ搬送する。損券やオーバーフロー紙幣は、混合金種の収納部１１２に対応する一時保留部１１３へ搬送される。一時保留部１１３は、紙幣を収納する。尚、入金識別部１０８がリジェクト紙幣と識別した紙幣は、搬送部１０７によって、入金リジェクト搬送路１２０を通じて、入金リジェクト部１０４へ搬送される。
【００７０】
投入された紙幣を入金部１０３が全て繰り出すと共に、その計数結果に対し操作者が承認操作を行うと、一時保留部１１３は紙幣を収納部１１２へ送り、収納部１１２は紙幣を収納する。こうして、入金処理が終了する。収納部１１２内では、所定の方向の紙幣が積み重なっている。前述の通り、出金時等に紙幣の向きをＡ方向に揃えるのであれば、収納部１１２内には、Ａ方向又はＤ方向の紙幣が積み重なっている。
【００７１】
（出金処理）
図６の白矢印は、出金処理時の紙幣の搬送経路を示している。操作者が出金処理の実行を指示する操作を行うと、出金対象の紙幣を収納している収納部１１２の繰出部１１２ａは、収納部１１２から紙幣を一枚ずつ繰り出す。搬送部１０７は、出金搬送路１１７に沿って、紙幣を一枚ずつ搬送する。出金識別部１０９は、紙幣の識別を行う。スパイラル反転部１１１は、反転が必要な紙幣を選択的に反転させる。これにより、スパイラル反転部１１１を通過した紙幣は、表裏及び天地の両方が揃っている。搬送部１０７はその後、紙幣を、出金搬送路１１７を通じて、出金部１０５へ搬送する。こうして、表裏及び天地の両方が揃った紙幣を、出金部１０５に投出することができる。尚、帯封して出金する場合、搬送部１０７は、紙幣を集積部１１４へ搬送する。出金対象の紙幣が全て出金部１０５へ投出されると、出金処理が終了する。尚、出金識別部１０９がリジェクト紙幣と識別した紙幣は、搬送部１０７によって、出金リジェクト部１０６へ搬送される。
【００７２】
（精査処理）
精査処理は、収納部１１２に収納している紙幣を繰り出して、出金識別部１０９が識別をした後、当該紙幣を収納部１１２に再収納をする処理である。精査処理を実行することにより、バラ紙幣処理ユニット１００に収納している紙幣の在高を確定することができる。
【００７３】
このバラ紙幣処理ユニット１００は、精査処理として第１精査処理と第２精査処理との二種類の精査処理を選択的に実行することができる。
【００７４】
第１精査処理は、精査処理の最中に、スパイラル反転部１１１が、必要に応じて紙幣の反転を行うことにより、収納部１１２に収納する紙幣の天地及び表裏の両方を揃えることができる精査処理である。収納部１１２に収納する紙幣の天地及び表裏を、予め揃えておくことによって、出金処理等の実行時に、紙幣の反転が不要になり、処理に要する時間を短縮することができると共に、反転中にジャム等の搬送エラーが発生してしまうことを抑制することができる。
【００７５】
図７の左図は、第１精査処理時の紙幣の搬送経路を例示している。同図に黒矢印で示すように、精査対象の収納部１１２の繰出部１１２ａは、収納部１１２から紙幣を繰り出す。搬送部１０７は、収納部１１２から繰り出された紙幣を、出金搬送路１１７に沿って出金識別部１０９へ搬送する。出金識別部１０９は、紙幣の識別を行う。スパイラル反転部１１１は、反転が必要な紙幣を選択的に反転させる。つまり、反転が必要な紙幣は反転パス１１１ａ及び反転機構１１１ｃを通過し、反転が不要な紙幣はバイパス１１１ｂを通過する。スパイラル反転部１１１を通過した紙幣は、表裏及び天地の両方が揃っている。搬送部１０７はその後、紙幣を、循環搬送路１１８からスイッチバック反転部１１０へ搬送する。紙幣の表裏及び天地の両方が揃っているため、スイッチバック反転部１１０は紙幣を反転しない。全ての紙幣は、バイパス１１０ｂを通過する。搬送部１０７はその後、紙幣を繰り出した収納部１１２と同じ収納部１１２の一時保留部１１３へ、紙幣を搬送する。収納部１１２から全ての紙幣を繰り出しかつ、繰り出した全ての紙幣を収納部１１２へ再収納すると、第１精査処理が完了する。尚、出金識別部１０９がリジェクト紙幣であると識別したリジェクト紙幣は、出金リジェクト部１０６へ搬送される。精査処理の完了後、操作者は、出金リジェクト部１０６の紙幣を手で取りだす。
【００７６】
第２精査処理は、第１精査処理に対して、スパイラル反転部１１１の反転処理を省略した精査処理である。スパイラル反転部１１１の反転機構１１１ｃは、紙幣の搬送幅方向の向きを反転させるために、紙幣をひねりながら搬送する。そのため、反転機構１１１ｃでは、紙幣のジャムが発生しやすい。第２精査処理において、全ての紙幣は、スパイラル反転部１１１のバイパス１１１ｂを通過し、反転機構１１１ｃを通過しないため、第１精査処理と比べて、搬送エラーが発生し難い。
【００７７】
図７の右図は、第２精査処理時の紙幣の搬送経路を例示している。同図に黒矢印で示すように、精査対象の収納部１１２の繰出部１１２ａは、収納部１１２から紙幣を繰り出す。搬送部１０７は、収納部１１２から繰り出された紙幣を、出金搬送路１１７に沿って出金識別部１０９へ搬送する。出金識別部１０９は、紙幣の識別（つまり、計数）を行う。スパイラル反転部１１１は、識別結果に関わらず、全ての紙幣を、バイパス１１１ｂを通過させる。第２精査処理時は、スパイラル反転部１１１を通過した紙幣は、表裏及び天地の両方が揃っているとは限らない。搬送部１０７はその後、紙幣を、循環搬送路１１８、及び、スイッチバック反転部１１０を介して、紙幣を繰り出した収納部１１２と同じ収納部１１２の一時保留部１１３へ紙幣を搬送する。収納部１１２から全ての紙幣を繰り出しかつ、繰り出した全ての紙幣を収納部１１２へ再収納すると、第２精査処理が完了する。尚、第二精査処理時も、出金識別部１０９がリジェクト紙幣であると識別したリジェクト紙幣は、出金リジェクト部１０６へ搬送される。
【００７８】
図８は、制御部８が実行する、精査処理に関する手順を説明するフローチャートである。先ず、スタート後のステップＳ１で、制御部８は、精査処理を実施するか否かを判断する。精査処理は、様々な条件に従って、実施される。具体的には、（ａ）操作者が、第一ターミナル部４１又は第二ターミナル部４２を操作することにより、精査処理の実施を指示した場合、（ｂ）操作者が、例えば管理コンピュータ６２を操作することにより、精査処理の実施を遠隔で指示した場合、（ｃ）操作者がタイマー予約を事前に設定しておき、当該タイマー予約の開始時刻に至った場合、（ｄ）操作者が日時予約を事前に設定しておき、当該日時予約で指定された開始タイミングに至った場合、に、制御部８は、精査処理を開始する。ステップＳ１の判断がＮＯの場合、プロセスはステップＳ１を繰り返し、ステップＳ１の判断がＹＥＳの場合、プロセスはステップＳ２に進む。
【００７９】
ステップＳ２において制御部８は、精査時にスパイラル反転を実施しない事前の設定があるか否かを判断する。つまり、当該バラ紙幣処理ユニット１００は、第１精査処理及び第２精査処理の内、第１精査処理を実施せずに、第２精査処理のみを実施するよう設定されているか否かを、制御部８は判断する。この事前設定は、例えば貨幣処理装置１の設置時に、初期設定として設定される場合が考えられる。尚、事前設定は初期設定に限らない。事前の設定がある場合、ステップＳ２の判断がＹＥＳであり、プロセスはステップＳ７に進み、事前の設定がない場合、ステップＳ２の判断がＮＯであり、プロセスはステップＳ３に進む。
【００８０】
ステップＳ３において制御部８は、精査処理として、第１精査を実施するか、第２精査を実施するかを判断する。制御部８は、様々な条件に基づいて、ステップＳ３の判断を行う。具体的に制御部８は、以下のような判断をする。
【００８１】
（１）操作者の選択操作に従って、第１精査を実施するか、第２精査を実施するかを判断する。操作者は、精査処理の実施を指示する際に、第１精査を実施するか、第２精査を実施するかを選択する。操作者はまた、タイマー予約を設定する際、及び、日時予約を設定する際に、第１精査を実施するか、第２精査を実施するかを選択する。
【００８２】
例えば図９の上図は、操作者が、第１精査処理と第２精査処理との選択を行うための画面Ｄ１を例示している。この画面Ｄ１の「通常精査」は、日中に、有人で精査処理を行う場合に対応する。「夜間精査」は、夜中に、無人で精査処理を行う場合に対応する。尚、操作者が第一ターミナル部４１又は第二ターミナル部４２を操作することによって、通常精査が行われる場合もあるし、操作者が第一ターミナル部４１又は第二ターミナル部４２を操作することによって、夜間精査が行われる場合もある。また、タイマー予約又は日時予約によって、通常精査が行われる場合もあるし、夜間精査が行われる場合もある。
【００８３】
図例では、「通常精査」は「反転有り」、つまり、必要に応じてスパイラル反転を行う第１精査処理が設定され、「夜間精査」は「反転無し」、つまり、スパイラル反転を行わない第２精査処理が設定されている。制御部８は、こうした操作者が設定した事項に基づいて、第１精査を実施するか、第２精査を実施するかを判断する。
【００８４】
（２）精査処理を実施する時刻に基づき、精査処理を夜中（例えば営業時間外）に行う場合、制御部８は、第２精査処理を実施すると判断し、精査処理を日中（例えば営業時間内）に行う場合、制御部８は、第１精査処理を実施すると判断する。精査処理中に搬送エラーが発生すると、制御部８は装置を停止し、操作者がエラーを解除しなければ、バラ紙幣処理ユニット１００は処理を再開することができない。精査処理を夜中に行う場合、無人で精査処理を行うと予想されるため、搬送エラーが発生し難い第２精査処理を実施することにより、精査処理が滞りなく完了する可能性が高まる。一方、精査処理を日中に行う場合、有人で精査処理を行うと予想されるため、搬送エラーが発生しても、エラーを解除して処理を再開することができる。第１精査処理を実施することにより、収納部１１２に収納する紙幣の表裏及び天地の両方を揃えることができる。
【００８５】
（３）精査処理を実施する日にちに基づき、精査処理を休業日に行う場合、制御部８は、第２精査処理を実施すると判断し、精査処理を営業日に行う場合、制御部８は、第１精査処理を実施すると判断する。前記と同様に、無人で精査処理を行うと予想される場合は、搬送エラーが発生し難い第２精査処理を実施することにより、精査処理が滞りなく完了する可能性が高まる。有人で精査処理を行うと予想される場合は、第１精査処理を実施することにより、収納部１１２に収納する紙幣の表裏及び天地の両方を揃えることができる。
【００８６】
（４）操作者の遠隔操作により、又は、タイマー予約若しくは日時予約により、精査処理を実行する場合は、制御部８は、第２精査処理を実施すると判断し、操作者が第一ターミナル部４１又は第二ターミナル部４２を操作することにより、精査処理を実行する場合は、制御部８は、第１精査処理を実施すると判断する。無人で精査処理を行うと予想される場合は、搬送エラーが発生し難い第２精査処理を実施することにより、精査処理が滞りなく完了する可能性が高まる。有人で精査処理を行うと予想される場合は、第１精査処理を実施することにより、収納部１１２に収納する紙幣の表裏及び天地の両方を揃えることができる。
【００８７】
（５）人感センサ５２の検知信号に基づき、人感センサ５２が人を感知していない場合は、制御部８は第２精査処理を実施すると判断し、人感センサ５２が人を感知している場合は、制御部８は第１精査処理を実施すると判断する。
【００８８】
続くステップＳ４で、ステップＳ３の判断に基づき、第１精査処理を実施する場合、プロセスは、ステップＳ４からステップＳ５に進み、第２精査処理を実施する場合、プロセスは、ステップＳ４からステップＳ７に進む。
【００８９】
ステップＳ５において制御部８は、前述したように、紙幣の識別結果に応じて、反転が必要な紙幣は反転機構１１１ｃを通過させる。続くステップＳ６において、制御部８は精査処理が完了したか否かを判断する。ＮＯであればプロセスはステップＳ５に戻り、第１精査処理を継続する。ＹＥＳであればプロセスは終了する。
【００９０】
一方、ステップＳ７において制御部８は、紙幣を、紙幣の識別結果に関わらず、バイパス１１１ｂを通過させることにより、全ての紙幣を反転させない。続くステップＳ８において、制御部８は精査処理が完了したか否かを判断する。ＮＯであればプロセスはステップＳ７に戻り、第２精査処理を継続する。ＹＥＳであればプロセスは終了する。第２精査処理時は、ジャム等による搬送エラーが発生し難いため、精査処理を滞りなく完了させることができる。
【００９１】
尚、第１精査処理の実施時及び第２精査処理の実施時のいずれの時も、ジャム等による搬送エラーが発生した場合、制御部８はバラ紙幣処理ユニット１００を停止する。制御部８はまた、第２精査処理の実行時であれば、例えばネットワーク６１を通じて、予め設定されている通知先に、搬送エラーによりバラ紙幣処理ユニット１００が停止した旨を通知する。具体的に制御部８は、管理センターに設置された端末や、担当者の携帯端末に、停止したバラ紙幣処理ユニット１００の設置店舗、当該バラ紙幣処理ユニット１００の号機、及び、搬送エラーが発生した部位等の情報を通知する。通知を受けた担当者は、即座に、又は、翌朝に現地に赴いて、エラーを解除し、精査処理を再開させる。制御部８は、第１搬送エラーの発生が、第１精査処理の実行時であれば、例えば第一ターミナル部４１又は第二ターミナル部４２を通じて、搬送エラーが発生した旨を報知する。
【００９２】
図９の中図は、予約等に基づく自動精査としての第２精査処理が完了した後に、第一ターミナル部４１又は第二ターミナル部４２に表示される画面Ｄ２を例示している。前述したように、第２精査処理を実行した場合、収納部１１２に収納している紙幣の表裏又は天地は揃っていない可能性がある。操作者にその旨を通知することにより、操作者は、収納部１１２内の紙幣の揃え状態を把握することができる。
【００９３】
図９の下図は、第一ターミナル部４１又は第二ターミナル部４２に表示される画面Ｄ３を例示している。この画面Ｄ３は、バラ紙幣処理ユニット１００の四つの収納部１１２それぞれに収納されている紙幣について、表裏及び／又は天地が揃っておらず、反転が必要な紙幣の割合を示している。操作者は、当該画面Ｄ３の参考情報を見て、表裏及び／又は天地が揃っていない紙幣が多い場合は、次回の精査処理の実施時に、紙幣の表裏及び天地を揃えない第２精査処理ではなく、紙幣の表裏及び天地を揃える第１精査処理を選択するといった措置を採ることができる。
【００９４】
（精査処理の別の構成例）
前述したように、無人で精査処理を実行している場合に、搬送エラーが発生してしまうと、精査処理が完了しないため、例えば翌朝の業務をスムースに開始することができない恐れがある。そのため、無人で精査処理を実行する場合は特に、搬送エラーの発生を極力抑制したい。
【００９５】
バラ紙幣処理ユニット１００の四つの収納部１１２の内、一括収納部１１２には、前述したように、損券が収納されると共に、搬送異常の紙幣、例えば紙幣同士の間隔が狭くなった紙幣も、一括収納部１１２に収納される場合がある。そのため、一括収納部１１２に収納されている紙幣は、他の金種別の収納部１１２に収納されている紙幣よりも搬送エラーが発生しやすい。
【００９６】
そこで、このバラ紙幣処理ユニット１００は、一括収納部１１２を、精査対象に含めるか、精査対象外にするかを、選択可能に構成されている。図１０は、精査処理の設定画面Ｄ４を例示している。この設定画面Ｄ４は、夜間に実行する自動精査処理時の設定画面である。夜間に実行する精査処理は、主にタイマー予約又は日時予約によって実施される。
【００９７】
設定画面Ｄ４は、「一括収納部対象」と「一括収納部対象外」との二つの選択肢を表示している。操作者は、「一括収納部対象」又は「一括収納部対象外」を選択する。制御部８は、操作者が設定した内容に従って、夜間に精査処理を実行する場合、一括収納部を含む全ての収納部１１２について精査処理を実行するか、一括収納部以外の金種別の収納部１１２についてのみ精査処理を実行するか、を切り替える。一括収納部を含む全ての収納部１１２について精査処理を実行することは、第１精査処理に対応し、一括収納部を含まない金種別の収納部１１２についてのみ精査処理を実行することは、第２精査処理に対応する。一括収納部を含まない金種別の収納部１１２についてのみ精査処理を実行すると、搬送エラーが発生し難いため、精査処理を滞りなく完了させることができる。
【００９８】
夜間に実行する精査処理において、一括収納部１１２を対象外に設定した場合、操作者は、例えば翌朝に、一括収納部１１２の精査処理のみを実行すると共に、必要に応じて出金リジェクト部に集積されているリジェクト紙幣を、手で取り出す。
【００９９】
尚、一括収納部１１２を精査対象に含める第１精査処理と、一括収納部１１２を精査対象に含めない第２精査処理との切り替えは、前述した、紙幣を必要に応じて反転させる第１精査処理と、紙幣を必要に応じて反転させる第２精査処理との切り替えに準じて行うことができる（前述した（１）〜（５）を参照）。また、一括収納部１１２を精査対象に含める第１精査処理と、一括収納部１１２を精査対象に含めない第２精査処理との切り替えは、紙幣を必要に応じて反転させる第１精査処理と、紙幣を必要に応じて反転させる第２精査処理との切り替えと組み合わせて実行することが可能である。
【０１００】
（手装填後の精査処理）
バラ紙幣処理ユニット１００が、前述した入金処理、出金処理及び精査処理等の各種の処理を実行している最中に搬送エラーが発生すると、操作者が、エラーの原因となった紙幣を装置内から手で取り出すと共に、取り出した紙幣を収納部１１２へ手で装填する場合がある。このときに、操作者は、紙幣の表裏及び天地が揃うように、収納部１１２へ装填するとは限らない。スイッチバック反転部１１０を通過した後で収納部１１２に収納された紙幣は、図５に示すように、Ａ方向又はＤ方向であるため、Ａ方向又はＤ方向となるように収納部１１２へ手で装填をすれば、出金処理時等には、スパイラル反転部１１１が紙幣の反転を行うことにより、全ての紙幣をＡ方向に揃えることが可能である。しかしながら、Ｂ方向又はＣ方向となるように収納部１１２へ手で装填してしまうと、出金処理時等に、スパイラル反転部１１１が紙幣の反転を行っても、全ての紙幣をＡ方向に揃えることができない。
【０１０１】
そこで、収納部１１２へ紙幣が手で装填された場合に、バラ紙幣処理ユニット１００は、収納部１１２に収納する紙幣の方向を揃えることを兼ねて、精査処理を行うよう構成されている。
【０１０２】
図１１の上図は、収納部１１２へ紙幣が手で装填された後、第一ターミナル部４１又は第二ターミナル部４２に表示される案内画面Ｄ５を例示している。案内画面Ｄ５は、操作者が精査処理を実行するか否かを選択するボタンを表示している。操作者が「実行する」を選択すると、精査処理が実行される。操作者が「スキップ」を選択すると、精査処理が実行されない。精査処理の実行には時間がかかり、精査処理の実行中は他の処理を実行することができない。精査処理の実行をスキップする選択肢を設けることによって、操作者の利便性を向上させることができる。尚、案内画面Ｄ５を表示せずに、制御部８は、精査処理を自動的に実施してもよい。
【０１０３】
図１１の下図は、精査処理の実行が選択されて、精査処理を実行している最中の画面Ｄ６を例示している。操作者は、必要に応じて画面Ｄ６のボタンを選択することにより、実行中の精査処理を中断することができる。
【０１０４】
この時の精査処理は、図７の左図に準じて行われる。前述したように、スパイラル反転部１１１は、出金識別部１０９の識別結果に応じて、反転が必要な紙幣は反転機構１１１ｃを通過させ、反転が不要な紙幣はバイパス１１１ｂを通過させる。また、搬送部１０７は、その後、紙幣をスイッチバック反転部１１０へ搬送するが、スイッチバック反転部１１０は、前記とは異なり、反転が必要な紙幣は反転パス１１０ａを通過させ、反転が不要な紙幣はバイパス１１０ｂを通過させる。こうすることで、収納部１１２に収納する紙幣の表裏及び天地の両方を揃えることができる。
【０１０５】
図１２は、前記の精査処理をスキップすることによって、収納部１１２に集積している紙幣の向きが揃っていない状態で、出金処理を行う場合の、紙幣の搬送経路を例示している。同図に白矢印で示すように、収納部１１２の繰出部１１２ａが繰り出した紙幣は、出金識別部１０９の識別結果に応じて、Ａ方向、Ｂ方向及びＣ方向の紙幣は、バイパス１１１ｂを通過させる一方、Ｄ方向の紙幣は、反転機構１１１ｃを通過させることにより、Ａ方向に反転させる。そして、搬送部１０７は、Ａ方向の紙幣を、出金搬送路１１７を通じて出金口１０１、又は、集積部１１４へ搬送し、Ｂ方向及びＣ方向の紙幣を、黒矢印で示すように、循環搬送路１１８を通じてスイッチバック反転部１１０へ搬送する。スイッチバック反転部１１０は、Ｂ方向及びＣ方向の紙幣を共に反転させることによって、Ｄ方向及びＡ方向にし、収納部１１２へ収納する。こうして、表裏及び天地の揃った紙幣を出金部１０５、又は、帯封紙幣処理ユニット２００へ搬送することができると共に、収納部１１２に収納している紙幣を、Ａ方向又はＤ方向にすることができる。つまり、次回以降の出金処理時に、収納部１１２から繰り出した紙幣は、スパイラル反転部１１１を通過すれば、全てＡ方向に揃えることができる。
【０１０６】
尚、出金処理のうち、金融機関の店舗内において利用する紙幣を出金するための、いわゆる回金出金処理においては、紙幣の向きを揃える必要性に乏しいため、全ての紙幣をスパイラル反転部１１１のバイパス１１１ｂを通過させた上で、出金部１０５、又は、集積部１１４へ搬送してもよい。こうすることで、回金出金時の所要時間を短縮することができる。
【０１０７】
（スパイラル反転部のエラー解除構成）
前述したように、スパイラル反転部１１１は、紙幣のジャムが発生しやすい。そこで、紙幣のジャムが発生した場合でも、操作者が紙幣を取り出しやすいように、スパイラル反転部１１１は構成されている。
【０１０８】
図１３は、バラ紙幣処理ユニット１００の構成を概略的に描いている。バラ紙幣処理ユニット１００は、筐体１００１と、筐体１００１内に収納されているユニット１００２とを備えている。ユニット１００２は、詳細な図示は省略するが、前述したスイッチバック反転部１１０、収納部１１２、出金識別部１０９を含んでいると共に、スパイラル反転部１１１を有している。
【０１０９】
ユニット１００２は、筐体１００１の前から前方に引き出すことが可能に構成されている。搬送エラーが発生した場合、操作者は、ユニット１００２を筐体１００１から引き出す。
【０１１０】
スパイラル反転部１１１は、上下方向に長い縦長の形状を有している。スパイラル反転部１１１は、ユニット１００２の後部において、ユニット１００２に対し、軸１００３を中心に回転可能に取り付けられている。軸１００３は、スパイラル反転部１１１の上下方向の中間に位置している。縦長のスパイラル反転部１１１は、軸１００３を中心に９０°回転させることにより、図１３に一点鎖線で示すように、横向きに倒すことができる。横向きに倒したスパイラル反転部１１１の一部は、ユニット１００２を引き出すことによって空になった筐体１００１内に位置している。スパイラル反転部１１１は、引き出したユニット１００２の後部に位置していて、そのままでは、装置の前側に位置する操作者からは見にくいものの、横向きに倒すことによって、操作者は、スパイラル反転部１１１を見やすくなる。
【０１１１】
図１４は、スパイラル反転部１１１を概略的に示す斜視図である。スパイラル反転部１１の前面下部には、紙幣の入口１１１ｄが形成されている。入口１１１ｄから中に入った紙幣は、反転パス１１１ａ又はバイパス１１１ｂに分岐される。スパイラル反転部１１１の上面には、紙幣の出口１１１ｅが形成されている。反転パス１１１ａ又はバイパス１１１ｂを通過した紙幣は、出口１１１ｅから出てくる。
【０１１２】
図１５に概略的に示すように、スパイラル反転部１１１を横向きに倒した状態で、スパイラル反転部１１１の上部に位置する第１部材１１１ｆを上に跳ね上げると、バイパス１１１ｂを開放することができる。図１３に白抜きの矢印で示すように、第１部材１１１ｆを上に跳ね上げたときに、操作者は、バラ紙幣処理ユニット１００の前方から、開放されたバイパス１１１ｂに手を入れやすい。操作者は、バイパス１１１ｂに詰まった紙幣を、容易に取り出すことができる。
【０１１３】
また、図１６に概略的に示すように、スパイラル反転部１１１を横向きに倒した状態で、第１部材１１１ｆと共に、第二部材１１１ｇを上に跳ね上げると、反転機構１１１ｃを含む反転パス１１１ａを開放することができる。前記と同様に、操作者は、バラ紙幣処理ユニット１００の前方から、開放された反転パス１１１ａ及び反転機構１１１ｃに手を入れやすい。操作者は、反転パス１１１ａ又は反転機構１１１ｃに詰まった紙幣を、容易に取り出すことができる。
【０１１４】
また、スパイラル反転部１１１を横向きに倒して、反転パス１１１ａ及び反転機構１１１ｃ、又は、バイパス１１１ｂを上向きに開放するため、詰まっていた紙幣が、筐体１００１の内部等へ落下してしまうことを防止することができる。操作者は、詰まっていた紙幣を容易に取り出すことができる。
【０１１５】
（紙幣処理装置の他の構成例）
図１７は、紙幣処理装置の他の構成例を示している。図１７の紙幣処理装置１０００において、図３のバラ紙幣処理ユニット１００と同じ構成要素には、同じ符号を付している。紙幣処理装置１０００では、入金部１０３と識別部１０８との間に、スイッチバック反転部１１０が配設されている。紙幣処理装置１０００ではまた、識別部１０８と収納部１１２との間に、スパイラル反転部１１１が配設されている。入金処理時に、収納部１１２に収納される紙幣は、識別部１０８の識別結果に応じて、スパイラル反転部１１１によって、Ａ方向又はＣ方向に揃えられる。
【０１１６】
出金処理時に、収納部１１２から繰り出されたＡ方向又はＣ方向の紙幣のうち、Ａ方向の紙幣は、スイッチバック反転部１１０のバイパス１１０ｂを通過し、Ｃ方向の紙幣は、反転パス１１０ａを通過することによって、Ａ方向に反転される。こうして、紙幣処理装置１０００は、表裏及び天地が揃った紙幣を出金部１０５へ出金することができる。
【０１１７】
第１精査処理時に、スパイラル反転部１１１は、収納部１１２から繰り出した紙幣を全て、バイパス１１１ｂを通過させると共に、スイッチバック反転部１１０は、反転が必要な紙幣は反転パス１１０ａを通過させ、反転が不要な紙幣はバイパス１１０ｂを通過させる。スイッチバック反転部１１０を通過した紙幣は、カセット１１１０に収納される。収納部１１２から全ての紙幣が繰り出されかつ、全ての紙幣がカセット１１１０に収納されれば、カセット１１１０に収納した紙幣を繰り出して、元の収納部１１２に再収納する。尚、前記とは逆に、収納部１１２からカセット１１１０への搬送途中で、紙幣の反転を行わずに、カセット１１１０から収納部１１２への搬送途中で、スイッチバック反転部１１０が紙幣の反転を行ってもよい。
【０１１８】
第２精査処理時に、収納部１１２から繰り出した紙幣は全て、スパイラル反転部１１１のバイパス１１１ｂを通過すると共に、全ての紙幣は、スイッチバック反転部１１０のバイパス１１０ｂを通過する。スイッチバック反転部１１０を通過した紙幣は、カセット１１１０に収納され、全ての紙幣がカセット１１１０に収納されれば、カセット１１１０に収納した紙幣を繰り出して、元の収納部１１２に再収納する。
【０１１９】
この構成の紙幣処理装置１０００も、第１精査処理及び第２精査処理を選択的に実行することにより、精査処理時の搬送エラーの発生を抑制することができる。
【０１２０】
また、紙幣処理装置１０００において、第１精査処理時には、一括収納部１１２を含む全ての収納部１１２を精査対象とし、第２精査処理時には、一括収納部１１２を精査対象から外してもよい。
【０１２１】
（他の実施形態）
尚、前記の説明では、第１精査処理及び第２精査処理のそれぞれにおいて、繰り出した収納部と同じ収納部に紙幣を再収納していたが、繰り出した収納部とは別の収納部に、紙幣を収納してもよい。つまり、図３に示すバラ紙幣処理ユニット１００では、繰り出した収納部１１２とは別の収納部１１２の一時保留部１１３に、紙幣を収納し、別の収納部１１２に収納している紙幣を繰り出した後、一時保留部１１３に収納していた紙幣を、当該収納部１１２に収納すればよい。
【０１２２】
また、図１７に示す紙幣処理装置１０００では、第１収納部１１２から繰り出した紙幣をカセット１１１０に収納した後、次の第２収納部１１２から繰り出した紙幣を、第１収納部１１２に収納し、さらに第３収納部１１２から繰り出した紙幣を、第２収納部１１２に収納した後、カセット１１１０に収納していた紙幣を、第３収納部１１２に再収納すればよい。
【０１２３】
尚、紙幣処理装置としてのバラ紙幣処理ユニット１００は、前述した構成に限らない。例えばバラ紙幣処理ユニット１００のスイッチバック反転部１１０と、スパイラル反転部１１１との配設位置を入れ替えてもよい。この場合、第１精査処理時に制御部８は、出金識別部１０９の識別結果に応じて、反転が必要な紙幣は、反転パス１１０ａを通過させ、反転が不要な紙幣は、バイパス１１０ｂを通過させる一方、第２精査処理に制御部８は、出金識別部１０９の識別結果に関わらず、全ての紙幣を、バイパス１１０ｂを通過させればよい。
【０１２４】
紙幣処理装置１０００においても、スイッチバック反転部１１０と、スパイラル反転部１１１との配設位置を入れ替えてもよい。
【０１２５】
また、第２精査処理時に、制御部８は、全ての紙幣を、バイパス１１１ｂを通過させる一方で、表裏及び天地を揃えるために反転が必要な紙幣を、元の収納部１１２ではなく、出金リジェクト部１０６に搬送してもよい。この場合、第２精査処理の終了後、操作者は、出金リジェクト部１０６に集積している紙幣を手で取り出し、向きを揃えて収納部１１２に再収納することができる。尚、反転が必要な紙幣の枚数が少ない場合に限って、当該紙幣を出金リジェクト部１０６に搬送してもよい。
【０１２６】
尚、バラ紙幣処理ユニット１００、及び、紙幣処理装置１０００における二種類の反転部は、スイッチバック方式の反転部及びスパイラル方式の反転部の組み合わせに限定されない。紙幣の表裏及び天地の両方を揃えることができる組み合わせであれば、二種類の反転部は、様々な方式の反転部を組み合わせることができる。
【符号の説明】
【０１２７】
１００  バラ紙幣処理ユニット（紙幣処理装置）
１０００  紙幣処理装置
１１０  スイッチバック反転部（反転部）
１１０ａ  反転パス（反転機構）
１１０ｂ  バイパス
１１１  スパイラル反転部（反転部）
１１１ｂ  バイパス
１１１ｃ  反転機構
１１２  収納部
【図１】
2020191020.tif 000003
【図２】
2020191020.tif 000004
【図３】
2020191020.tif 000005
【図４】
2020191020.tif 000006
【図５】
2020191020.tif 000007
【図６】
2020191020.tif 000008
【図７】
2020191020.tif 000009
【図８】
2020191020.tif 000010
【図９】
2020191020.tif 000011
【図１０】
2020191020.tif 000012
【図１１】
2020191020.tif 000013
【図１２】
2020191020.tif 000014
【図１３】
2020191020.tif 000015
【図１４】
2020191020.tif 000016
【図１５】
2020191020.tif 000017
【図１６】
2020191020.tif 000018
【図１７】
2020191020.tif 000019